(57)【特許請求の範囲】
【請求項１】
所定のデータを記憶する記憶手段と、
扉の開放を検出し、前記扉の開放が検出された場合、前記記憶手段により記憶された前記所定のデータを、前記所定のデータとは異なる他の所定のデータに更新する第１の更新手段と、
主電源投入後、所定時間が経過すると、前記記憶手段に前記所定のデータを記憶させるリセット手段と、
前記主電源が停止されるとき投入される補助電源と、
前記記憶手段により記憶される前記所定のデータを記憶、または、読み出す信号線を接続、または、切断する切替手段とを含み、
前記記憶手段は、主電源が停止され、前記補助電源に切り替わるとき、前記所定のデータを既に記憶している状態にし、
前記主電源からの電力供給が停止している場合、前記切替手段は、前記信号線を切断する
扉開放検出装置。
【請求項２】
前記第１の更新手段により前記扉の開放が検出された場合、前記他の所定のデータを出力する出力手段をさらに含む
請求項１に記載の扉開放検出装置。
【請求項３】
前記扉が開放されたままの状態で、かつ、前記主電源が停止されて、補助電源に切り替えられたとき、前記記憶手段に記憶された前記所定のデータを、前記所定のデータとは異なる他の所定のデータに更新させる第２の更新手段をさらに含む
請求項１に記載の扉開放検出装置。
【請求項４】
前記補助電源は、前記主電源よりも電圧が低く、
前記補助電源とダイオードとが順方向に接続されて、前記記憶手段に電力を供給し、
直列に接続されている前記補助電源と前記ダイオードとに対して、並列に前記主電源が接続されている
請求項１または２に記載の扉開放検出装置。
【請求項５】
直列に接続されている前記補助電源と前記ダイオードとに対して、並列に前記主電源と前記ダイオードとは異なる他のダイオードが順方向に接続されている
請求項４に記載の扉開放検出装置。
【請求項６】
前記記憶手段は、D型フリップフロップである
請求項１に記載の扉開放検出装置。
【請求項７】
前記更新手段は、接点スイッチ、近接スイッチ、光学スイッチ、または磁気スイッチを含む
請求項１に記載の扉開放検出装置。
【請求項８】
前記記憶手段により前記所定のデータが記憶されているか否かにより前記扉の開放が検出されたか否かを判定する判定手段をさらに含む
請求項１に記載の扉開放検出装置。
【請求項９】
所定のデータを記憶する記憶ステップと、
扉の開放を検出し、前記扉の開放が検出された場合、前記記憶ステップの処理により記憶された前記所定のデータを、前記所定のデータとは異なる他の所定のデータに更新する更新ステップと、
主電源投入後、所定時間が経過すると、前記記憶ステップの処理で前記所定のデータを記憶させるリセットステップと、
前記記憶ステップの処理により記憶される前記所定のデータを記憶、または、読み出す信号線を接続、または、切断する切替ステップとを含み、
前記記憶ステップの処理は、主電源が停止され、前記主電源が停止されると投入される補助電源に切り替わるとき、前記所定のデータを既に記憶している状態にし、
前記主電源からの電力供給が停止している場合、前記切替ステップの処理は、前記信号線を切断する
扉開放検出方法。
【請求項１０】
請求項１に記載の扉開放検出装置を含む遊技機。
【発明の詳細な説明】
【技術分野】
【０００１】
本発明は、扉開放検出装置および方法に関し、特に、安価な構成により、遊技機の扉の不正な開放を確実に検出できるようにした扉開放検出装置および方法に関する。
【背景技術】
【０００２】
遊技店において、閉店後の遊技機の不正改造防止が課題となっており、遊技機の電源遮断後に扉の開放を監視する機能が求められている。
【０００３】
現状において、遊技機単体には扉開閉検出機能は搭載されているものの、遊技機の電源供給時しか動作しないものが一般的である。
【０００４】
そこで、予め充電されたコンデンサの電荷を扉が開放された際に放電することで、無電源期間中の扉開放を検出する手段が提案されている（特許文献１参照）。
【０００５】
また、遊技店の設備として、扉開閉検出機能の開閉信号を直接ホールコンピュータに送信する構成や、カバー開閉信号をコントローラに記憶し報知・動作停止処理をする構成などが提案されている（特許文献２，３参照）。
【０００６】
また最近では、遊技機本体にバッテリと開閉検出機能を設けるようにさせ、常に開閉時刻などの履歴を記録し、履歴データをホールコンピュータと通信する構成も提案されている（特許文献４参照）。これは、製品出荷時から常時一定時間毎に開閉状態を検出、記録し、かつ監視ユニットが固有IDを持つことで不正交換を防止するものである。
【０００７】
【特許文献１】特開２００１−３４０５９５号公報
【特許文献２】特開２００１−００９１３７号公報
【特許文献３】特開２００５−２１８５９７号公報
【特許文献４】特開２００３−１５９４６６号公報
【発明の開示】
【発明が解決しようとする課題】
【０００８】
しかしながら、上述した特許文献１に記載の技術においては、扉開放によりコンデンサの電荷を放電した後に、外部電源を用いてコンデンサに再充電することで容易に元の状態に復帰させることができ、扉の不正な開放があったことを示す痕跡が残らない恐れがある。
【０００９】
また、特許文献２に記載の技術においては、扉開閉信号をホールコンピュータに送信する場合、閉店後もホールコンピュータを稼動させておく必要があり、開閉検出機能を実現する配線が短絡されるなどにより、容易に機能が無効化される恐れがある。
【００１０】
さらに、特許文献３に記載の技術においては、扉開閉信号を記憶する機構としてラッチ回路が利用されているが、外部からクリア信号が入力されることで、容易に記憶内容が変更され、元の状態に復帰させられてしまい、扉の不正な開放があったことを示す痕跡が残らない恐れがある。
【００１１】
また、特許文献４に記載の技術においては、バッテリを用いて開閉履歴を記憶する構成であるため、複雑な処理を実行するための演算装置や、プログラムおよび履歴データを保存するための大容量の記憶機構が必要になるため高価となる恐れがある。また、処理の多くを遊技店の全体を管理する演算処理装置に頼る構成となるため、やはり、コスト高となる恐れがある。
【００１２】
さらに、上述した手法のいくつかは、扉の開放を検出できたとしても、係員により復帰操作をさせない限り、通常の動作に戻すことができないものもあり、扉の開放が検出される度、係員による復帰操作に手間がかかることがあった。
【００１３】
本発明はこのような状況に鑑みてなされたものであり、例えば、電源の投入を停止した後、遊技機の扉の開放を検出し、検出結果を保持し、保持された検出結果を不正に操作できないようにすると共に、扉の開放を検出した後、正常状態に復帰できるようにすることで、安価で、かつ、確実に扉の開放を検出すると共に、扉の開放が検出した後の復帰操作に係る手間を軽減できるようにするものである。
【課題を解決するための手段】
【００１４】
本発明の一側面の扉開放検出装置は、所定のデータを記憶する記憶手段と、扉の開放を検出し、前記扉の開放が検出された場合、前記記憶手段により記憶された前記所定のデータを、前記所定のデータとは異なる他の所定のデータに更新する第１の更新手段と、主電源投入後、所定時間が経過すると、前記記憶手段に前記所定のデータを記憶させるリセット手段と、前記主電源が停止されるとき投入される補助電源と、前記記憶手段により記憶される前記所定のデータを記憶、または、読み出す信号線を接続、または、切断する切替手段とを含み、前記記憶手段は、主電源が停止され、前記補助電源に切り替わるとき、前記所定のデータを既に記憶している状態にし、前記主電源からの電力供給が停止している場合、前記切替手段は、前記信号線を切断する。
【００１５】
前記第１の更新手段により前記扉の開放が検出された場合、前記他の所定のデータを出力する出力手段をさらに含ませるようにすることができる。
【００１７】
前記扉が開放されたままの状態で、かつ、前記主電源が停止されて、補助電源に切り替えられたとき、前記記憶手段に記憶された前記所定のデータを、前記所定のデータとは異なる他の所定のデータに更新させる第２の更新手段をさらに含ませるようにすることができる。
【００１８】
前記補助電源は、前記主電源よりも電圧が低いものとすることができ、前記補助電源とダイオードとが順方向に接続されて、前記記憶手段に電力を供給させ、直列に接続されている前記補助電源と前記ダイオードとに対して、並列に主電源が接続されるようにすることができる。
【００１９】
直列に接続されている前記補助電源と前記ダイオードとに対して、並列に主電源と前記ダイオードとは異なる他のダイオードが順方向に接続されるようにすることができる。
【００２１】
前記記憶手段は、D型フリップフロップとすることができる。
【００２２】
前記更新手段には、接点スイッチ、近接スイッチ、光学スイッチ、または磁気スイッチを含ませるようにすることができる。
【００２３】
前記記憶手段により前記所定のデータが記憶されているか否かにより前記扉の開放が検出されたか否かを判定する判定手段をさらに含ませるようにすることができる。
【００２４】
本発明の一側面の扉開放検出方法は、所定のデータを記憶する記憶ステップと、扉の開放を検出し、前記扉の開放が検出された場合、前記記憶ステップの処理により記憶された前記所定のデータを、前記所定のデータとは異なる他の所定のデータに更新する更新ステップと、主電源投入後、所定時間が経過すると、前記記憶ステップの処理で前記所定のデータを記憶させるリセットステップと、前記記憶ステップの処理により記憶される前記所定のデータを記憶、または、読み出す信号線を接続、または、切断する切替ステップとを含み、前記記憶ステップの処理は、主電源が停止され、前記主電源が停止されると投入される補助電源に切り替わるとき、前記所定のデータを既に記憶している状態にし、前記主電源からの電力供給が停止している場合、前記切替ステップの処理は、前記信号線を切断する。
【００２５】
本発明の遊技機には、請求項１に記載の扉開放検出装置を含ませるようにすることができる。
【００２６】
本発明の一側面の扉開放検出装置および方法においては、所定のデータが記憶され、前記扉の開放が検出された場合、記憶された前記所定のデータが、前記所定のデータとは異なる他の所定のデータに更新され、主電源投入後、所定時間が経過すると、前記前記所定のデータが記憶される。
【００２７】
本発明の一側面の扉開放検出装置における、所定のデータを記憶する記憶手段とは、例えば、フリップフロップ回路であり、扉の開放を検出し、前記扉の開放が検出された場合、前記記憶手段により記憶された前記所定のデータを、前記所定のデータとは異なる他の所定のデータに更新する第１の更新手段とは、例えば、扉開放検出スイッチであり、主電源投入後、所定時間が経過すると、前記記憶ステップの処理で前記所定のデータを記憶させるリセットステップとは、コンパレータ、コンデンサ、および抵抗である。
【００２８】
すなわち、遊技機電源部からの電力供給が停止している間に、前記扉の開放が検出された場合、扉開放検出スイッチによりフリップフロップ回路にクロック信号を供給することで、記憶された前記所定のデータが、前記所定のデータとは異なる他の所定のデータに更新される。更に、前記所定のデータとは異なる他の所定のデータに更新されている場合、主電源の電力供給を開始した所定時間後に、更新した他の所定データを元の所定のデータに復帰させる。このため、制御部の開放判定部は、遊技機電源部から電力供給が開始されてから所定時間において、フリップフロップ回路により前記所定のデータが記憶されていれば、扉の開放が検出されておらず、前記所定のデータとは異なる他の所定のデータに更新されていれば、扉の開放が検出されたものと判断する。
【００２９】
これにより、遊技機の電源供給が停止してから次に電源が供給されるまでの間に、不正に扉が開放されると、フリップフロップ回路には、所定のデータとは異なる他の所定のデータに更新されることになるので、電源供給が停止している間に、何らかの理由により扉の開放が検出されたことを認識することができる。また、扉の開放が検出されても、所定時間だけ扉の開放が検出されたことが通知された後は、通常状態に自動的に復帰することになる。
【００３０】
また、主電源からの電力供給が停止している間は、扉の開放を検出する信号を出力する信号線を電気的に切断することにより、外部への信号出力、および外部からの不正な信号入力などを防ぐことができる。
【００３１】
結果として、電源の投入を停止した後、遊技機の扉の開放を検出し、検出結果が不正に操作できず、さらに、扉の開放を検出しても自動的に通常状態に復帰するので、操作を容易なものとすることができ、安価で、かつ、確実に扉の開放を検出することが可能となる。
【発明の効果】
【００３２】
本発明によれば、安価で、かつ、確実に扉の開放を検出し、検出後においても復帰操作を特に必要とすることなく通常状態に復帰することが可能となる。
【発明を実施するための最良の形態】
【００３３】
以下に本発明の実施の形態を説明するが、本発明の構成要件と、発明の詳細な説明に記載の実施の形態との対応関係を例示すると、次のようになる。この記載は、本発明をサポートする実施の形態が、発明の詳細な説明に記載されていることを確認するためのものである。従って、発明の詳細な説明中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が構成要件に対応するものとしてここに記載されていたとしても、そのことは、その実施の形態が、その構成要件以外の構成要件には対応しないものであることを意味するものでもない。
【００３４】
すなわち、本発明の一側面の扉開放検出装置は、所定のデータを記憶する記憶手段（例えば、図１のフリップフロップ回路ＦＦ１）と、扉の開放を検出し、前記扉の開放が検出された場合、前記記憶手段により記憶された前記所定のデータを、前記所定のデータとは異なる他の所定のデータに更新する第１の更新手段（例えば、図１の扉開放検出スイッチＳＷ１）と、主電源（例えば、図１の遊技機電源部Ｖ5）投入後、所定時間が経過すると、前記記憶手段に前記所定のデータを記憶させるリセット手段（例えば、図１のコンパレータＣＯＭ１、コンデンサＣ１、および抵抗Ｒ４乃至Ｒ７）と、前記主電源が停止されるとき投入される補助電源と、前記記憶手段により記憶される前記所定のデータを記憶、または、読み出す信号線を接続、または、切断する切替手段（例えば、図１のコンパレータＣＯＭ２、およびトランジスタＴＲ１）とを含み、前記記憶手段は、主電源が停止され、前記補助電源に切り替わるとき、前記所定のデータを既に記憶している状態にする。
【００３５】
前記第１の更新手段により前記扉の開放が検出された場合、前記他の所定のデータを出力する出力手段（例えば、図１のコンパレータＣＯＭ２、トランジスタＴＲ１）をさらに含ませるようにすることができる。
【００３７】
前記扉が開放されたままの状態で、かつ、前記主電源が停止されて、補助電源に切り替えられたとき、（扉開放検出スイッチＳＷ１に供給される補助電源による電源の立ち上がりを所定の期間遅延することで、フリップフロップ回路ＦＦ１のクロック端子ＣＫに強制的に立ち上がり信号を入力し、）前記記憶手段に記憶された前記所定のデータを、前記所定のデータとは異なる他の所定のデータに更新させる第２の更新手段（例えば、図４のコンデンサＣ２、および抵抗Ｒ３）をさらに含ませるようにすることができる。
【００３８】
前記主電源（例えば、図１の遊技機電源部Ｖ5）よりも電圧の低い補助電源（例えば、図１の補助電源Ｖ0）をさらに含ませるようにすることができ、前記補助電源とダイオード（例えば、図１のダイオードＤ１）とが順方向に接続されて、前記記憶手段に電力を供給させ、直列に接続されている前記補助電源と前記ダイオードとに対して、並列に主電源が接続されるようにすることができる。
【００３９】
直列に接続されている前記補助電源と前記ダイオードとに対して、並列に主電源と前記ダイオードとは異なる他のダイオード（例えば、図１のダイオードＤ２）が順方向に接続されるようにすることができる。
【００４０】
前記記憶手段により記憶される前記所定のデータを読み出す信号線を接続、または、切断する切替手段（例えば、図１のコンパレータＣＯＭ２、およびトランジスタＴＲ１）をさらに含ませるようにすることができ、前記主電源からの電力供給が停止している場合、前記切替手段には、前記信号線を切断させるようにすることができる。
【００４１】
前記記憶手段（例えば、図１のフリップフロップ回路ＦＦ１）は、D型フリップフロップとすることができる。
【００４２】
前記更新手段（例えば、図１の扉開放検出スイッチＳＷ１）には、接点スイッチ、近接スイッチ、光学スイッチ、または磁気スイッチを含ませるようにすることができる。
【００４３】
前記記憶手段により前記所定のデータが記憶されているか否かにより前記扉の開放が検出されたか否かを判定する判定手段（例えば、図１の制御部４の開放判定部４ａ）をさらに含ませるようにすることができる。
【００４４】
本発明の一側面の扉開放検出方法は、所定のデータを記憶する記憶ステップ（例えば、図２のステップＳ２）と、扉の開放を検出し、前記扉の開放が検出された場合、前記記憶ステップの処理により記憶された前記所定のデータを、前記所定のデータとは異なる他の所定のデータに更新する更新ステップ（例えば、図２のステップＳ５）と、主電源投入後、所定時間が経過すると、前記記憶ステップの処理で前記所定のデータを記憶させるリセットステップ（例えば、図２のステップＳ１１）と、前記記憶ステップの処理により記憶される前記所定のデータを記憶、または、読み出す信号線を接続、または、切断する切替ステップとを含み、前記記憶ステップの処理は、主電源が停止され、前記主電源が停止されると投入される補助電源に切り替わるとき、前記所定のデータを既に記憶している状態にし、前記主電源からの電力供給が停止している場合、前記切替ステップの処理は、前記信号線を切断する。
【００４５】
図１は、本発明に係る正面扉の開放を検出する扉開放検出部を備えた遊技機の一実施の形態の構成を示す図である。
【００４６】
遊技機には、扉開放検出部１、コネクタ２，３、制御部４、遊技機電源部５、交流電源６、および、発報部７が備えられている。
【００４７】
扉開放検出部１は、遊技機の主電源である遊技機電源部５からの電力供給が停止すると、図示せぬ遊技機の正面扉の開放を監視する監視状態となる。そして、扉開放検出部１は、遊技機電源部５から電力供給が開始されるまでの期間において、図示せぬ遊技機の正面扉の開放を検出すると、予め記憶されていた所定のデータを所定のデータとは異なる他の所定のデータに更新する。そして、遊技機電源部５より電源が投入されるとき、制御部４は、扉開放検出部１が、予め記憶されていた所定のデータを記憶しているか、または、他の所定のデータを記憶しているかに基づいて、正面扉の開放の検出の有無を判定する。また、扉開放検出部１は、主電源である遊技機電源部５より電力供給がなされている間も、扉の開放を監視する。
【００４８】
コネクタ２，３は、扉開放検出部１を遊技機より単独で組み付け、または取り外せるように設けられた、相互に凹凸形状からなる接続端子である。また、コネクタ２，３は、図１の上から遊技機電源部５より扉開放検出部１に供給されてくる電力供給線、扉開放検出部１に記憶している扉開放検出信号を伝送する扉開放検出信号線（以降、単に信号線とも称するものとする）、および接地部分に接続されている接地線をそれぞれ接続している。
【００４９】
制御部４は、交流電源６からの交流電源を直流電源に変換する遊技機電源部５より供給される直流の電力により動作し、遊技機の動作の全体を管理すると共に、扉開放検出部１の出力信号を受信する。また、制御部４は、使用者により図示せぬスイッチＳＷ２が操作されてＯＦＦにされると、電力供給が完全に停止するまでの時間に（約0.1秒程度の間に）、各種のデータを図示せぬ不揮発性のメモリに記憶させる。また、制御部４は、スイッチＳＷ２がＯＮに操作されると、開放判定部４ａを制御して、端子ＶINに入力される扉開放検出部１からの扉開放検出信号を受信させると共に、受信した扉開放検出信号に基づいて、電源供給が停止されている間に、図示せぬ遊技機の正面扉が開放されているか否か、すなわち、不正開放が検出されたか否かを判定させて、判定結果に対応して発報部７を動作させ、不正な扉の開放があったことを発報させる。
【００５０】
遊技機電源部５は、交流電源６より供給される交流電源を遊技機で使用可能な直流電源に変換し、扉開放検出部１および制御部４に供給する。遊技機で使用可能な電力の電圧としては、例えば、５Ｖである。以降においては、５Ｖであるものとして説明を進めるが、当然のことながらそれ以外の電圧でもよい。
【００５１】
抵抗Ｒ１０１は、制御部４における端子ＶINおよび電源端子Ｖｄｄとを接続し、プルアップ抵抗として機能する。
【００５２】
次に、扉開放検出部１の構成例について説明する。扉開放検出部１は、フリップフロップ回路ＦＦ１、コンパレータＣＯＭ１，ＣＯＭ２、トランジスタＴＲ１、コンデンサＣ１、ダイオードＤ１乃至Ｄ８、抵抗Ｒ１乃至Ｒ１３、補助電源Ｖ0、および扉開放検出スイッチＳＷ１から構成されている。
【００５３】
フリップフロップ回路ＦＦ１は、Ｄ型フリップフロップ回路であり、電源端子Ｖｃｃ、プリセット端子ＰＲ、データ入力端子Ｄ、クロック信号入力端子ＣＫ、クリア端子ＣＬＲ、グランド端子ＧＮＤ、正出力端子Ｑ、および負出力端子Ｑ’（図１中においては、Ｑの上部にバーが表記されているが、本明細書中においては、表示の都合上「Ｑ’」と称するものとする）が設けられている。
【００５４】
フリップフロップ回路ＦＦ１は、電源端子Ｖｃｃに供給される電力により駆動し、プリセット端子ＰＲおよびクリア端子ＣＬＲにＨｉの信号が入力されている状態で、クロック信号入力端子ＣＫに立ち上がり信号が入力されると、データ入力端子Ｄに入力される信号を保持し、同一の信号を正出力端子Ｑより出力し、負信号を負出力端子より出力する。すなわち、クロック信号入力端子ＣＫに入力されるクロック信号が立ち上がるタイミングで、データ入力端子ＤにＨｉのデータが入力されていると、フリップフロップ回路ＦＦ１は、データであるＨｉを保持して、正出力端子Ｑより同一のＨｉの信号を、負出力端子Ｑ’よりＨｉの負信号であるＬｏｗを出力する。逆に、クロック信号入力端子ＣＫに入力されているクロック信号が立ち上がるタイミングで、データ入力端子ＤにＬｏｗのデータが入力されていると、フリップフロップ回路ＦＦ１は、データであるＬｏｗを保持して、正出力端子Ｑより同一のＬｏｗの信号を、負出力端子Ｑ’よりＬｏｗの負信号であるＨｉを出力する。
【００５５】
また、フリップフロップ回路ＦＦ１は、プリセット端子ＰＲにＬｏｗの信号、および、クリア端子ＣＬＲにＨｉの信号が入力されると、プリセット動作が実行されて、クロック信号入力端子ＣＫの状態、およびデータ端子Ｄの状態とは無関係に、強制的にＨｉを保持する。また、フリップフロップ回路ＦＦ１は、プリセット端子ＰＲにＨｉの信号、および、クリア端子ＣＬＲにＬｏｗの信号が入力されると、クリア動作が実行されて、クロック信号入力端子ＣＫの状態、およびデータ端子Ｄの状態とは無関係に、強制的にＬｏｗを保持する。
【００５６】
すなわち、Ｄ型のフリップフロップ回路ＦＦ１は、１ビットのデータを記憶するメモリとして機能している。
【００５７】
ダイオードＤ１は、補助電源Ｖ0の正端子からみてフリップフロップ回路ＦＦ１の電源端子Ｖｃｃの方向に対して順方向に設けられており、遊技機電源部５より電力が供給されている場合、電力の逆流を防止する。
【００５８】
ダイオードＤ２は、遊技機電源部５からみてフリップフロップ回路ＦＦ１の電源端子Ｖｃｃの方向に対して順方向に設けられており、遊技機電源部５より電力供給が停止され、かつ、補助電源Ｖ0より電力が供給されている場合、遊技機電源部５の電位は不定となるため、補助電源Ｖ0より供給される電力の逆流を防止し、コネクタ２の電力供給線と接地線を不正に強制短絡させることによってフリップフロップ回路ＦＦ１のＶｃｃとＧＮＤとを短絡し、リセット動作をさせる行為を防止する。
【００５９】
また、補助電源Ｖ0と遊技機電源部５の出力電圧Ｖ5とは、以下の式（１）の関係が満たされる関係となっている。
【００６０】
Ｖ0−Ｖｄ１＜Ｖ5−Ｖｄ２
・・・（１）
【００６１】
ここで、Ｖ0は、補助電源Ｖ0の電源電圧であり、Ｖｄ２は、ダイオードＤ２の順方向電圧であり、Ｖ5は、遊技機電源部５より供給される電源電圧であり、Ｖｄ１は、ダイオードＤ１の順方向電圧である。従って、遊技機電源部５より電力供給があるとき、電源端子Ｖｃｃには、（Ｖ5−Ｖｄ２）で示される電圧が印加され、遊技機電源部５からの電力供給がなくなると補助電源Ｖ0より（Ｖ0−Ｖｄ１）で示される電圧が印加される。
【００６２】
フリップフロップ回路ＦＦ１は、プリセット端子ＰＲが、抵抗Ｒ３，Ｒ９の一方の端部に接続されている。データ入力端子Ｄが、接地されている。クロック信号入力端子ＣＫが、扉開放検出スイッチＳＷ１の他方の端部、抵抗Ｒ２の他方の端部、およびコンパレータＣＯＭ２の負端子に接続されている。クリア端子ＣＬＲが、ダイオードＤ１，Ｄ２のカソード、抵抗Ｒ１，Ｒ３の他方の端部に接続されている。正出力端子Ｑが、ダイオードＤ３のカソードに接続されている。負出力端子Ｑ’が、抵抗Ｒ２の一方の端部、およびダイオードＤ４のカソードに接続されている。
【００６３】
抵抗Ｒ１は、一方の端部が、扉開放検出スイッチＳＷ１の一方の端部に接続され、他方の端部がダイオードＤ１，Ｄ２のカソード、フリップフロップ回路ＦＦ１のクリア端子ＣＬＲ、抵抗Ｒ３の他方の端部に接続されている。
【００６４】
抵抗Ｒ２は、一方の端部が、フリップフロップ回路ＦＦ１の負出力端子Ｑ’およびダイオードＤ４のカソードに接続され、他方の端部が扉開放検出スイッチＳＷ１の他方の端部、フリップフロップ回路ＦＦ１のクロック端子ＣＫ、および、コンパレータＣＯＭ２の負端子に接続されている。
【００６５】
抵抗Ｒ３は、一方の端部が、フリップフロップ回路ＦＦ１のプリセット端子ＰＲ、および抵抗Ｒ９の一方の端部に接続され、他方の端部が、ダイオードＤ１，Ｄ２のカソード、抵抗Ｒ１の他方の端部、および、フリップフロップ回路ＦＦ１のクリア端子ＣＬＲに接続されている。
【００６６】
ダイオードＤ３は、カソードが、フリップフロップ回路ＦＦ１の正出力端子Ｑに接続され、アノードが、コンデンサＣ１の一方の端部、および抵抗Ｒ４の一方の端部に接続されている。
【００６７】
コンデンサＣ１は、一方の端部が、ダイオードＤ３のアノード、および抵抗Ｒ４の一方の端部に接続され、他方の端部は、抵抗Ｒ４の他方の端部，Ｒ５の一方の端部、およびコンパレータＣＯＭ１の負端子に接続されている。
【００６８】
抵抗Ｒ４は、一方の端部が、ダイオードＤ３のアノード、およびコンデンサＣ１の一方の端部に接続され、他方の端部が、コンデンサＣ１の他方の端部、抵抗Ｒ５の一方の端部、およびコンパレータＣＯＭ１の負端子に接続されている。
【００６９】
すなわち、コンデンサＣ１および抵抗Ｒ４は、並列に接続されており、遅延回路として機能する。
【００７０】
抵抗Ｒ５は、一方の端部が、抵抗Ｒ４の他方の端部、コンデンサＣ１の他方の端部、およびコンパレータＣＯＭ１の負端子に接続され、他方の端部が、ダイオードＤ２のアノード、抵抗Ｒ６，Ｒ１０，Ｒ１３の他方の端部、および遊技機電源部５に接続されている。
【００７１】
抵抗Ｒ６は、一方の端部が、コンパレータＣＯＭ１の正端子、抵抗Ｒ７，Ｒ８の一方の端部に接続され、他方の端部が、ダイオードＤ２のアノード、抵抗Ｒ５，Ｒ１０，Ｒ１３の他方の端部、および遊技機電源部５に接続されている。
【００７２】
抵抗Ｒ７は、一方の端部が、コンパレータＣＯＭ１の正端子、抵抗Ｒ８の一方の端部に接続され、他方の端部が接地されている。
【００７３】
抵抗Ｒ８は、一方の端部が、コンパレータＣＯＭ１の正端子、抵抗Ｒ６，Ｒ７の一方の端部に接続され、他方の端部がダイオードＤ５のアノードに接続されている。
【００７４】
抵抗Ｒ９は、一方の端部が、抵抗Ｒ３の一方の端部、およびフリップフロップ回路ＦＦ１のプリセット端子ＰＲに接続され、他方の端部が、ダイオードＤ６のアノードに接続されている。
【００７５】
ダイオードＤ５は、アノードに抵抗Ｒ８の他方の端部が接続され、カソードにコンパレータＣＯＭ１の出力端子、およびダイオードＤ６のカソードが接続されている。
【００７６】
ダイオードＤ６は、アノードに抵抗Ｒ９の他方の端部が接続され、カソードにコンパレータＣＯＭ１の出力端子、およびダイオードＤ５のカソードが接続されている。
【００７７】
すなわち、コンパレータＣＯＭ１の正端子には、抵抗Ｒ５，Ｒ７による分圧電位が印加され、負端子に供給されてくる電圧と分圧電位との大小により、出力端子よりＨｉ、または、Ｌｏｗの信号が出力される。
【００７８】
抵抗Ｒ１０は、一方の端部が、コンパレータＣＯＭ２の正端子、および抵抗Ｒ１１，Ｒ１２の一方の端部に接続され、他方の端部が、ダイオードＤ２のアノード、抵抗Ｒ５，Ｒ６，Ｒ１３のそれぞれの他方の端部、および遊技機電源部５に接続されている。
【００７９】
抵抗Ｒ１１は、一方の端部が、抵抗Ｒ１０，Ｒ１２の一方の端部、およびコンパレータＣＯＭ２の正端子に接続され、他方の端部が接地されている。
【００８０】
抵抗Ｒ１２は、一方の端部が、抵抗Ｒ１０，Ｒ１１の一方の端部、およびコンパレータＣＯＭ２の正端子に接続され、他方の端部が、ダイオードＤ７のアノードに接続されている。
【００８１】
ダイオードＤ７は、アノードが抵抗Ｒ１２の他方の端部に接続され、カソードがコンパレータＣＯＭ２の出力端子、トランジスタＴＲ１のコレクタ、および、扉開放検出信号線に接続されている。
【００８２】
すなわち、コンパレータＣＯＭ２の正端子には、抵抗Ｒ１０，Ｒ１１による分圧電位が印加され、負端子に供給されてくる電圧と分圧電位との大小により、出力端子よりＨｉ、または、Ｌｏｗの信号が出力される。
【００８３】
抵抗Ｒ１３は、一方の端部が、ダイオードＤ４，Ｄ８のアノードに接続され、他方の端部が、ダイオードＤ２のアノード、抵抗Ｒ５，Ｒ６，Ｒ１０の他方の端部、および遊技機電源部５に接続されている。
【００８４】
トランジスタＴＲ１は、コレクタが、コンパレータＣＯＭ２の出力端子、ダイオードＤ７のカソード、扉開放検出信号線に接続されており、ベースが、ダイオードＤ８のカソードが接続されており、エミッタが接地されている。
【００８５】
扉開放検出スイッチＳＷ１は、接点スイッチ、近接スイッチ、光学スイッチ、または磁気スイッチなどから構成されるスイッチであり、図示せぬ遊技機の正面に設けられた扉の開放を検出するとＯＮにされ、それ以外の場合、すなわち、扉が閉じられている通常状態においては、ＯＦＦに設定されるスイッチである。
【００８６】
次に、図２のフローチャートを参照して、図１の扉開放検出部１を備えた遊技機による扉開放検出処理について説明する。
【００８７】
ステップＳ１において、スイッチＳＷ２がＯＦＦにされて、遊技機本体の電源が遮断されると、遊技機電源部５を介して供給されてくる電源電圧Ｖ5が低下し、ステップＳ２に進む。
【００８８】
尚、遊技機電源部５は、交流電源６より供給される電力を５Ｖ程度の電圧に変換して扉開放検出部１および制御部４に供給しており、変換処理に係る時間があるため、スイッチＳＷ２がＯＦＦにされても、図３および図４の最上段の波形図で示されるように、緩やかに電圧が降下していく。また、図３および図４においては、最上段の波形図が遊技機電源部５の供給電圧Ｖ5の、２段目の波形図がフリップフロップ回路ＦＦ１の電源端子Ｖｃｃに供給される印加電圧Ｖ1の、３段目の波形図がプリセット端子ＰＲの印加電圧Ｖ2の、４段目の波形図がクロック信号入力端子ＣＫの印加電圧Ｖ3の、５段目の波形図が正出力端子Ｑの出力電圧Ｖ41の、６段目の波形図が負出力端子Ｑ’の出力電圧Ｖ42の、７段目の波形図が扉開放検出信号線の出力電圧Ｖ43の、８段目の波形図が扉開放検出スイッチＳＷ１に流れる電流ＩSW1の、９段目の波形図がコンパレータＣＯＭ１の負端子の入力電圧Ｖ44の、１０段目の波形図がコンパレータＣＯＭ１の正端子の入力電圧Ｖ45の、１１段目の波形図がコンパレータＣＯＭ１の出力端子の出力電圧Ｖ46のそれぞれの時系列の電位変化を示している。図３は、扉の開放を検出しない場合の波形であり、図４は、図３に対応した、扉の開放を検出した場合の波形である。さらに、図３，図４における９段目乃至１１段目の波形図については、７段目の波形図の矢印で示される時刻ｔ３の近傍付近の拡大波形図である。
【００８９】
フリップフロップ回路ＦＦ１の電源端子Ｖｃｃの電圧Ｖ1は、図３の２段目の波形図で示されるように、時刻ｔ２において、補助電源Ｖ0により供給される電圧Ｖ0よりダイオードＤ１の電圧分（の電圧ＶD1）だけ降下した電圧Ｖｃ（＝Ｖ0−ＶD1）で安定する。これに対応して、図３の５段目の波形図で示されるように、正出力端子Ｑの出力電圧Ｖ41は、時刻ｔ２において、電圧Ｖｃで安定する。すなわち、時刻ｔ２以降においては、フリップフロップ回路ＦＦ１は、自らの駆動電源を遊技機電源部５の電力供給から、補助電源Ｖ0の電力供給に切り替えている。
【００９０】
ステップＳ２において、コンパレータＣＯＭ１，ＣＯＭ２は、いずれも電源供給が停止されることになるので、出力はそれぞれハイインピーダンスの状態となる。このため、フリップフロップ回路ＦＦ１のプリセット端子ＰＲには、抵抗Ｒ３を介して、補助電源Ｖ0より電力供給が切り替えられて、Ｈｉの信号が供給される。また、クリア端子ＣＬＲは、補助電源Ｖ0より固定された電源電圧が印加されることになるので、プリセット端子ＰＲおよびクリア端子ＣＬＲがいずれもＨｉとなり、フリップフロップ回路ＦＦ１は、これ以降にクロック信号入力端子ＣＫに立ち上がり信号が供給されると、データ端子Ｄに入力されているＬｏｗを記憶する監視状態となる。
【００９１】
同時に、ステップＳ３において、抵抗Ｒ１３およびダイオードＤ８を介してトランジスタＴＲ１のベースへの電力供給も停止されるため、トランジスタＴＲ１もＯＦＦとなる。このため、トランジスタＴＲ１は、扉開放検出スイッチＳＷ１およびフリップフロップ回路ＦＦ１の動作に関わらず、出力動作をしない。すなわち、フリップフロップ回路ＦＦ１の負出力端子Ｑ’がＨｉ状態であっても、ダイオードＤ４により電流が遮断されるため、トランジスタＴＲ１は動作しない。更に、フリップフロップ回路ＦＦ１の負出力端子Ｑ’がＬｏｗ状態の場合、ダイオードＤ４によって１ＶBE昇圧されるが、ダイオードＤ８が、この電位差で生じる電流を遮断することによりトランジスタＴＲ１の動作が防止される。したがって、コンパレータＣＯＭ２およびトランジスタＴＲ１が共に動作しないため、扉開放検出部１の出力端子は外部から電気的に切断される。
【００９２】
ステップＳ４において、遊技機の正面扉が開放されて、扉開放検出スイッチＳＷ１がＯＮの状態にされたか否かが判定され、例えば、扉が開放されず、扉開放検出スイッチＳＷ１がＯＦＦの状態である場合、処理はステップＳ６に進む。
【００９３】
ステップＳ６において、電源電圧Ｖ5が立ち上がるか否かが判定され、例えば電源電圧Ｖ5が立ち上がった場合、処理はステップＳ７に進む。一方、例えば、電源電圧Ｖ5が立ち上がらなかった場合、処理は、ステップＳ４に戻る。すなわち、主電源である電源電圧Ｖ5が立ち上がるまで、ステップＳ４乃至Ｓ６の処理が繰り返される。
【００９４】
ステップＳ７において、電源電圧Ｖ5が立ち上がることにより、コンパレータＣＯＭ１，ＣＯＭ２、および、トランジスタＴＲ１は、それぞれ動作可能な状態となり、扉開放検出部１の出力端子が外部と電気的に接続される。
【００９５】
ステップＳ８において、制御部４は、開放判定部４ａを制御して、端子ＶINに入力される扉開放検出部１からの扉開放検出信号を受信させると共に、受信した扉開放検出信号が正常信号であるか否かを判定する。すなわち、扉の開放が検出されなかった場合、フリップフロップ回路ＦＦ１には、Ｈｉの信号が記憶されているので、負出力端子Ｑ’よりＬｏｗの信号が出力されているため、トランジスタＴＲ１のベースには電流が流れず、トランジスタＴＲ１はＯＦＦの状態となる。したがって、開放判定部４ａは、端子ＶINに入力される扉開放検出部１からの扉開放検出信号がＨｉのままであれば、扉開放検出信号は、扉の開放を検出したことを示す扉開放信号ではないので、処理は、ステップＳ１に戻る。
【００９６】
一方、ステップＳ４において、例えば、図示せぬ遊技機の正面扉が開放されて、扉開放検出スイッチＳＷ１がＯＮの状態となった場合、ステップＳ５において、図４の４段目の波形図における時刻ｔ４で示されるように、クロック信号入力端子ＣＫへの印加電圧Ｖ3が立ち上がり信号となるため、フリップフロップ回路ＦＦ１は、データ入力端子Ｄに入力されているＬｏｗの信号を保持することにより、扉の開放を検出したことを示すＬｏｗの信号に更新し、図４の５段目の波形図で示されるように、時刻ｔ４以降において、正出力端子ＱよりＬｏｗの信号を出力する。また、負出力端子Ｑ’は、これに対応して、図４の６段目の波形図で示されるように、時刻ｔ４以降において、Ｈｉの信号を出力する。
【００９７】
この結果、ステップＳ８において、フリップフロップ回路ＦＦ１には、Ｌｏｗの信号が記憶されており、負出力端子Ｑ’は、Ｈｉの信号を出力しているので、トランジスタＴＲ１のベースに電流が流れ、トランジスタＴＲ１はＯＮの状態となる。したがって、開放判定部４ａは、端子ＶINに入力されてくる扉開放検出部１からの扉開放検出信号がＬｏｗであって、扉が開放されたことが記憶されているので、扉の開放が検出されたことを示す扉開放信号とみなし、処理は、ステップＳ９に進む。
【００９８】
ステップＳ９において、制御部４は、発報部７を制御して、遊技機電源部５からの電力供給が停止された後、不正に遊技機の正面扉が開放されたことが検出されたことを発報させる。
【００９９】
ステップＳ１０において、スイッチＳＷ２がＯＮにされ、主電源である遊技機電源部５より電力の供給が開始されてから所定時間が継続したか否かが判定され、所定時間が継続するまで、同様の処理が繰り返される。すなわち、主電源停止期間中に扉開放検出スイッチＳＷ１がＯＮの状態となった場合、フリップフロップ回路ＦＦ１は、Ｌｏｗを記憶しているので、正出力端子Ｑの出力電圧Ｖ41は、図４の５段目の波形図で示されるように、０Ｖから動作が開始することになる。コンパレータＣＯＭ１の負端子電圧Ｖ44は、図４の９段目の波形図における時刻ｔ３乃至ｔ５で示されるように、ダイオードＤ３の順方向電圧（ＶD3（例えば、約０．６Ｖ））から充電を開始して、徐々に電圧を指数変化させながら上昇する。図４の９段目および１０段目の波形図に示されるように、所定時間が経過し、この電圧Ｖ44が電圧Ｖ5を抵抗Ｒ６，Ｒ７で分圧した電圧である正端子電圧Ｖ45の閾値に到達する時刻を時刻ｔ５とする。
【０１００】
すなわち、、時刻ｔ５において、電源投入後、所定時間が経過したとみなされるので、処理は、ステップＳ１１に進む。尚、この所定時間は、コンデンサＣ１および抵抗Ｒ４，Ｒ５により設定される。
【０１０１】
ステップＳ１１において、コンパレータＣＯＭ１の出力端子は、図４の１１段目の波形図の時刻ｔ５以降で示されるように、Ｌｏｗを出力する。すると、ダイオードＤ６および抵抗Ｒ９を介して、フリップフロップ回路ＦＦ１のプリセット端子ＰＲには、Ｌｏｗの信号が入力される。クリア端子ＣＬＲは、Ｈｉの信号が固定された状態で入力されているので、フリップフロップ回路ＦＦ１は、プリセット動作を行い、正常データであるＨｉを記憶する。
【０１０２】
ステップＳ１２において、これらの動作により、正出力端子Ｑの出力電圧Ｖ41はＨｉになるため、コンパレータＣＯＭ１の負端子電圧Ｖ44は電圧Ｖ5で安定する。このように、通常状態に設定されて、処理は、ステップＳ１に戻る。
【０１０３】
すなわち、例えば、主電源である遊技機電源部５からの電力供給を停止した後、何らかの不正行為により、遊技機の正面扉が開放され、扉開放検出スイッチＳＷ１がＯＮの状態となった場合、ステップＳ５の処理により、フリップフロップ回路ＦＦ１は、Ｌｏｗを記憶する。そして、主電源が投入されると、ステップＳ９の処理により、負出力端子Ｑ’よりＨｉの信号が出力され続けるので、トランジスタＴＲ１はＯＮ状態となる。端子ＶINに入力される扉開放検出部１からの扉開放検出信号がＬｏｗとなるので、不正に遊技機の正面扉が開放されたことが発報される。さらに、遊技機電源部５からの電力供給が開始されてからコンデンサＣ１および抵抗Ｒ４により設定される設定時間が経過すると、コンパレータＣＯＭ１の出力端子がＨｉからＬｏｗに切り替わることにより、フリップフロップ回路ＦＦ１がプリセットされて、通常状態に復帰する。
【０１０４】
ところで、扉開放検出スイッチＳＷ１およびフリップフロップ回路ＦＦ１のクロック信号入力端子ＣＫは、抵抗Ｒ２を介してフリップフロップ回路ＦＦ１の負出力端子Ｑ’と接続されている。このため、扉の開放を検出してフリップフロップ回路ＦＦ１がＬｏｗを記憶すると、負出力端子Ｑ’はＨｉを出力し、抵抗Ｒ１，Ｒ２の両端部と同電位となるため抵抗Ｒ１，Ｒ２には電流が流れなくなる。したがって、図４の８段目に示すように、一旦扉開放検出スイッチＳＷ１がＯＮにされると、フリップフロップ回路ＦＦ１がＨｉを記憶するまでの瞬間にのみしか電流ＩSW1が流れない。このため、回路の省電力化を実現することが可能となっている。
【０１０５】
また、以上においては、フリップフロップ回路ＦＦ１が記憶している信号、すなわち、正出力端子Ｑの出力電圧によって、所定時間だけ扉開放検出信号を出力し続けるか否かが切り替えられているが、遊技機電源部５のＯＮが検出されるタイミングから常に所定時間は、扉開放検出信号を受け入れるようにして、所定時間以降にプリセット信号を供給できるものであれば、その他の方法であってもよい。
【０１０６】
一方、ステップＳ１において、主電源がＯＦＦにされていない、すなわち、通常状態のままの場合、ステップＳ１３において、制御部４は、開放判定部４ａを制御して、端子ＶINに入力される扉開放検出部１からの扉開放検出信号を受信させると共に、受信した扉開放検出信号に基づいて開放されたか否かを判定する。すなわち、通常状態の場合、コンパレータＣＯＭ１，ＣＯＭ２は動作状態であり、抵抗Ｒ５を介してコンパレータＣＯＭ１の負端子には電圧Ｖ5が印加されるため、正端子に印加されている抵抗Ｒ６，Ｒ７により分圧された電圧よりも高く、コンパレータＣＯＭ１はＬｏｗを出力している。したがって、フリップフロップ回路ＦＦ１のプリセット端子ＰＲにはＬｏｗ、クリア端子ＣＬＲにはＨｉが入力されているため、プリセット動作となりフリップフロップ回路ＦＦ１はＨｉを記憶したまま保持される。つまり負出力端子Ｑ’はＬｏｗを出力しているため、トランジスタＴＲ１は常にＯＦＦ状態となり、扉開放検出部の出力はコンパレータＣＯＭ２の出力のみに依存する。コンパレータＣＯＭ２の負端子には、扉開放検出スイッチＳＷ１が接続され、コンパレータＣＯＭ２の正端子には、抵抗Ｒ１０，Ｒ１１により分圧された電圧が印加されている。例えば、扉開放検出スイッチＳＷ１がＯＮにされると、コンパレータＣＯＭ２の負端子の電位の方が正端子の電位より高くなるため、コンパレータＣＯＭ２は、Ｌｏｗを出力する。したがって、開放判定部４ａは、扉開放検出信号が、Ｌｏｗの場合、扉の開放が検出されたものとみなし、ステップＳ１４において、発報部７を制御して、扉の開放を検出したことを発報する。
【０１０７】
また、ステップＳ１３において、例えば、扉開放検出スイッチＳＷ１がＯＦＦのままであり、すなわち、扉の開放が検出されていない場合、コンパレータＣＯＭ２の正端子に印加されている抵抗Ｒ１０，Ｒ１１により分圧された電圧と比較して、コンパレータＣＯＭ２の負端子の電位の方が低くなるため、コンパレータＣＯＭ２は、Ｈｉを出力する。したがって、開放判定部４ａは、扉開放検出信号が、Ｈｉの場合、扉の開放が検出されていないものとみなし、発報を行わず、ステップＳ１の処理に戻る。
【０１０８】
以上の処理により、主電源である遊技機電源部５から電力供給がある場合、何らかの不正行為、または、係員による処理により、遊技機の正面扉が開放されると、扉の開放が報知される。
【０１０９】
ところで、以上の例においては、扉開放検出スイッチＳＷ１がＯＮの状態のまま、主電源である遊技機電源部５からの電力供給が停止され、かつ、その後に正面扉が閉じられた場合、遊技機の正面扉の開放が検出されない。すなわち、遊技機電源部５からの電力供給が停止される際に、扉開放検出スイッチＳＷ１がＯＮのままでは、フリップフロップ回路ＦＦ１のクロック信号入力端子ＣＫはＨｉが入力されたままとなり、立ち上がり信号が入力されないため、フリップフロップ回路ＦＦ１が記憶する状態が更新できないので、扉の開放が検出された状態に記憶が更新されない。
【０１１０】
このため、不正行為を行う者が扉を開放して、遊技機に不正改造を施した後に、扉開放検出部１に対して、遊技機電源部５より電力供給を所定時間行ってから扉を閉じることにより、扉開放検出部１のフリップフロップ回路ＦＦ１に記憶されるべき、扉の開放を検出したことを示す信号は、リセットされてしまう恐れがある。
【０１１１】
そこで、扉開放検出スイッチＳＷ１がＯＮの状態のまま、主電源である遊技機電源部５からの電力供給が停止され、かつ、その後に正面扉が閉じられた場合でも、フリップフロップ回路ＦＦ１に扉が開放されたことを記憶させるようにすることで、扉開放検出スイッチＳＷ１がＯＮの状態のまま、主電源である遊技機電源部５からの電力供給が停止され、かつ、その後に正面扉が閉じられた場合にも扉の開放を記憶させるようにすることができる。
【０１１２】
図５は、扉開放検出スイッチＳＷ１がＯＮの状態のまま、主電源である遊技機電源部５からの電力供給が停止され、かつ、その後に正面扉が閉じられた場合にも、扉の開放を検出できるようにした扉開放検出部２１の一実施の形態の構成例を示している。尚、図５の扉開放検出部２１において、図１の扉開放検出部１と同一の構成については、同一の符号を付すものとし、その説明は、適宜省略するものとする。
【０１１３】
図５の扉開放検出部２１において、図１の扉開放検出部１の構成と異なるのは、コンデンサＣ２、ダイオードＤ２１、およびトランジスタＴＲ２が設けられた点である。コンデンサＣ２は、一方の端部が、ダイオードＤ１，Ｄ２のカソード、抵抗Ｒ３の他方の端部、フリップフロップ回路ＦＦ１のクリア端子ＣＬＲ、トランジスタＴＲ２のコレクタに接続され、他方の端部が、トランジスタＴＲ２のベース、抵抗Ｒ３の一方の端部、フリップフロップ回路ＦＦ１のプリセット端子ＰＲ、および抵抗Ｒ９の一方の端部に接続されている。すなわち、コンデンサＣ２は、抵抗Ｒ３に対して並列に接続されている。
【０１１４】
ダイオードＤ２１は、アノードが、ダイオードＤ２のアノード、抵抗Ｒ５，Ｒ６，Ｒ１０，Ｒ１３の他方の端部、および遊技機電源部５に接続され、カソードが、トランジスタＴＲ２のエミッタ、および抵抗Ｒ１の他方の端部に接続されている。
【０１１５】
トランジスタＴＲ２は、コレクタが、ダイオードＤ１，Ｄ２のカソード、抵抗Ｒ３の他方の端部、フリップフロップ回路ＦＦ１のクリア端子ＣＬＲ、および、コンデンサＣ２の一方の端部に接続され、ベースが、コンデンサＣ２の他方の端部、抵抗Ｒ３の一方の端部、フリップフロップ回路ＦＦ１のプリセット端子ＰＲ、および抵抗Ｒ９の一方の端部に接続され、エミッタが、抵抗Ｒ１の他方の端部、およびダイオードＤ２１のカソードに接続されている。
【０１１６】
次に、図６のフローチャートを参照して、図５の扉開放検出部２１による扉開放検出処理について説明する。尚、ステップＳ２１乃至２３、およびステップＳ２５乃至Ｓ３４の処理については、図２のフローチャートを参照して説明したステップＳ１乃至Ｓ１３の処理と同様であるので、その説明は省略する。
【０１１７】
すなわち、ステップＳ２１において、図７の最上段の波形図で示されるように、時刻ｔ１において、スイッチＳＷ２がＯＦＦにされて、主電源である遊技機電源部５からの電力供給が停止すると、電圧Ｖ5が緩やかに減少し始める。このとき、主電源が供給されてくる間は、ダイオードＤ２１を介して、トランジスタＴＲ２のエミッタおよび抵抗Ｒ１の一方の端部に供給されているので、図７の４段目の波形図で示されるように、トランジスタＴＲ２のエミッタの電圧Ｖ31も同様に減少し始める。この動作により、主電源がＯＦＦにされたとみなされ、処理は、ステップＳ２２に進む。
【０１１８】
ステップＳ２２において、監視状態となり、同時に、ステップＳ２３において、扉開放検出部１の出力端子が外部から電気的に切断される。
【０１１９】
尚、これ以降において、図７の２段目の波形図における時刻ｔ２で示されるように、フリップフロップＦＦ１の電源電圧である電圧Ｖ1は、補助電源Ｖ0に電源が切り替えられる。
【０１２０】
また、図７においては、最上段の波形図が遊技機電源部５の供給電圧Ｖ5の、２段目の波形図が電源端子Ｖｄｄに供給される印加電圧Ｖ1の、３段目の波形図がプリセット端子ＰＲの印加電圧Ｖ2の、４段目の波形図がトランジスタＴＲ２のエミッタ端子の電圧Ｖ31の、５段目の波形図が扉の開閉の、６段目の波形図がクロック信号入力端子ＣＫの印加電圧Ｖ3の、７段目の波形図が正出力端子Ｑの出力電圧Ｖ41の、８段目の波形図が扉開放検出信号線の出力電圧Ｖ43のそれぞれの時系列の電位変化を示している。
【０１２１】
ステップＳ２４において、扉が開放された状態で、かつ、主電源がＯＦＦにされたか否かが判定される。すなわち、ステップＳ２４において、扉が開放された状態で、かつ、主電源がＯＦＦにされた場合、コンパレータＣＯＭ１の動作も停止する。この場合、図７の４段目乃至６段目の波形図で示されるように、電圧Ｖ31，Ｖ3は、一旦０Ｖにまで減衰する。しかしながら、抵抗Ｒ３およびコンデンサＣ２の容量により決められる所定時間だけ遅延されて、フリップフロップ回路ＦＦ１のプリセット端子ＰＲ、および、トランジスタＴＲ２のベースにＨｉとなる補助電源Ｖ0が印加されるので、図６の４段目乃至６段目の波形図で示されるように、時刻ｔ２より所定時間だけ遅延された時刻ｔ４１において、クロック信号入力端子ＣＫに立ち上がり信号が入力されることになり、フリップフロップ回路ＦＦ１は、データ入力端子Ｄに入力されているＬｏｗを記憶する。すなわち、ステップＳ２４において、扉が開放された状態で、かつ、主電源がＯＦＦにされたと判定された場合、ステップＳ２６において、フリップフロップ回路ＦＦ１は、扉が開放されたことを示す信号を記憶する。
【０１２２】
一方、ステップＳ２４において、扉が開放されていない状態で、主電源がＯＦＦにされた場合、処理は、通常通りステップＳ２５に進む。
【０１２３】
以上の構成により、扉が開放された状態で、かつ、主電源がＯＦＦにされた場合であっても、扉が開放されたことが記憶される。
【０１２４】
以上のように本発明によれば、安価で、かつ、確実に扉の開放を検出し、扉の開放を検出した後においても、人手などによる復帰操作を特に必要とすることなく通常状態に復帰することが可能となる。
【０１２５】
尚、本明細書において、処理を記述するステップは、記載された順序に沿って時系列的に行われる処理は、もちろん、必ずしも時系列的に処理されなくとも、並列的あるいは個別に実行される処理を含むものである。
【図面の簡単な説明】
【０１２６】
【図１】本発明を適用した扉開放検出部を備えた遊技機の一実施の形態の構成例を示す図である。
【図２】図１の扉開放検出部を備えた遊技機による扉開放検出処理を説明するフローチャートである。
【図３】図１の扉開放検出部を備えた遊技機による扉開放検出処理を説明する図である。
【図４】図１の扉開放検出部を備えた遊技機による扉開放検出処理を説明する図である。
【図５】本発明を適用した扉開放検出部を備えた遊技機のその他の実施の形態の構成例を示す図である。
【図６】図５の扉開放検出部を備えた遊技機による扉開放検出処理を説明するフローチャートである。
【図７】図５の扉開放検出部を備えた遊技機による扉開放検出処理を説明する図である。
【符号の説明】
【０１２７】
１  扉開放検出部
４  制御部
４ａ  開放判定部
５  遊技機電源部
７  発報部
２１  扉開放検出部
【図１】
0005352974.tif 000002
【図２】
0005352974.tif 000003
【図３】
0005352974.tif 000004
【図４】
0005352974.tif 000005
【図５】
0005352974.tif 000006
【図６】
0005352974.tif 000007
【図７】
0005352974.tif 000008